(57)【要約】【課題】切断が容易で、強度を保って厚さを薄くでき、安価に大量に生産できるという合板が有する本来の特徴をそのまま生かしつつ、大面積の板面から、ホルムアルデヒド、トルエン、キシレン等に代表される有機化合物やアンモニアさらにその他の不快臭等を効率良く回収可能で、しかも、カビの発生や腐敗が抑制された有用な合板を提供すること。【解決手段】通気性を有する複数のツキ板２が接着層３を経て合着されている合板１において、ツキ板２に炭素系物質の粉末状細粒からなる有害物質吸着層４を形成すると共に、接着層４に微小な非接着部３ａからなる通気口部５を多数開口し、この通気口部５を経て各ツキ板２間に通気性を付与してあること。【選択図】　図１
0003098255.tif 000002
【実用新案登録請求の範囲】
【請求項１】
通気性を有する複数のツキ板が接着層を経て合着されている合板において、前記ツキ板に炭素系物質の粉末状細粒からなる有害物質吸着層を形成すると共に、前記接着層に微小な非接着部からなる通気口部を多数開口し、この通気口部を経て各ツキ板間に通気性を付与してあることを特徴とする合板。
【考案の詳細な説明】
【０００１】
【考案の属する技術分野】
本考案は、建築資材、住宅資材、各種の木工製品等に用いられている合板に関する。
【０００２】
【従来の技術】
建築物の内装材や家具等に使用されてきた合板は、切断等の加工が容易であること、強度的にも満足できること、安価であることもあって、大量に生産されて供給されている。また、厚さについても２ミリから製品がある等、厚さの薄いものも提供されてきた。
しかしながら、このような従来技術の合板を含む新建材の接着剤や塗料から発散されるホルムアルデヒド、トルエン、キシレン等に代表される有機化合物は、人体に悪影響を及ぼし、ショックハウス症候群等の社会的問題を引き起こしている。
このような問題を解消するものとして、例えば先行文献１に記載されているカーボンシートパネルがある。同パネルは、合板、合成樹脂板等の基礎素材の表面及び裏面の少なくとも一方に、炭素系物質の粉末状細粒を含有させたカーボンシートを接着剤からなる接着層を介して積層し、カーボンシート表面は、通気性・透湿性の特性を有する表面化粧材を接着剤からなる接着層を介して積層し、この積層されたそれぞれの素材を加熱・加圧手段により接着したものである。
ところが、合板を強力な接着力により構成する接着層は、膜状の非通気性のものであるため、ツキ板が通気性を有する木材製であったとしても、ツキ板間における通気性が非通気性の接着層によって妨げられてしまう。その結果、接着層の存在は、木材の持つ通気性を阻害するものであり、有機化合物や不快臭の回収は合板の端面に覗いているカーボンシートの極小面積の範囲で行なわれることになって非効率的であるばかりか、カビの発生や合板の腐敗の要因となる。
【０００３】
【先行文献１】
実用新案登録第３０８５４５３号
【０００４】
【考案が解決しようとする課題】
解決しようとする課題は、切断が容易で、強度を保って厚さを薄くでき、安価に大量に生産できるという合板が有する本来の特徴をそのまま生かしつつ、大面積の板面から、ホルムアルデヒド、トルエン、キシレン等に代表される有機化合物やアンモニアさらにその他の不快臭等を効率良く回収可能で、しかも、カビの発生や腐敗が抑制された有用な合板を提供することにある。
【０００５】
【課題を解決するための手段】
本考案は前記した課題を達成するため、通気性を有する複数のツキ板が接着層を経て合着されている合板において、前記ツキ板に炭素系物質の粉末状細粒からなる有害物質吸着層を形成すると共に、前記接着層に微小な非接着部からなる通気口部を多数開口し、この通気口部を経て各ツキ板間に通気性を付与してあることを特徴とする。
【０００６】
本考案における有害物質吸着層は、木炭、活性炭、セラミック炭等の炭素系物質を粉末状に細粒加工したものを水或いは水溶性の接着液に溶き、これをツキ板に直接、塗布・乾燥させて形成しても良いし、吹き付け・乾燥させて形成しても良いし、浸漬・乾燥させて形成しても良く、さらに、これらを適宜組み合わせて行ない形成するようにしても良い。
また、有害物質吸着層は、ツキ板の片面または両面或いは全面に形成しても良いし、また、表面側のツキ板、裏面側のツキ板、中間のツキ板のように一部のツキ板に形成しても良く、全てのツキ板に形成するようにしても良い。
通気口部は、穴状或いはスリット状等の開口であり、接着層の全面に均一に分布しているのが望ましく、これにより板面全体の通気性が確保される。
【０００７】
【考案の実施の形態】
図１には本考案の合板における実施の１形態を例示しており、合板１は、３枚のツキ板２をそれぞれ接着層３で合着して形成してある。
表面側のツキ板２の裏面には有害物質吸着層４を形成してある。このツキ板２裏面の有害物質吸着層４は、木炭、活性炭、セラミック炭等の炭素系物質を粉末状に細粒加工したものを水溶性の接着液に溶き、これに直接、ツキ板２裏面を浸漬させた後、乾燥処理することにより、ツキ板２裏面の全面に形成されている。各接着層３には、微小な非接着部３ａからなる多数の通気口部５を接着層の全面に均一に分布した状態に開口形成してあり、この多数の通気口部５を経て各ツキ板２間に通気性を付与してある。
【０００８】
図２には本考案の合板における実施の他の１形態を例示しており、合板１は、３枚のツキ板２をそれぞれ接着層３で合着して形成してある。
裏面側のツキ板２の表面には有害物質吸着層４を形成してある。このツキ板２表面の有害物質吸着層４は、木炭、活性炭、セラミック炭等の炭素系物質を粉末状に細粒加工したものを水溶性の接着液に溶き、これに直接、ツキ板２表面を浸漬させた後、乾燥処理することにより、ツキ板２表面の全面に形成されている。各接着層３には、微小な非接着部３ａからなる多数の通気口部５を接着層の全面に均一に分布した状態に開口形成してあり、この多数の通気口部５を経て各ツキ板２間に通気性を付与してある。
【０００９】
図３には本考案の活性炭塗布合板における実施の他の１形態を例示しており、合板１は、３枚のツキ板２をそれぞれ接着層３で合着して形成してある。
中間のツキ板２の裏面には有害物質吸着層４を形成してある。このツキ板２裏面の有害物質吸着層４は、木炭、活性炭、セラミック炭等の炭素系物質を粉末状に細粒加工したものを水溶性の接着液に溶き、これに直接、ツキ板２裏面を浸漬させた後、乾燥処理することにより、ツキ板２裏面の全面に形成されている。
各接着層３には、微小な非接着部３ａからなる多数の通気口部５を接着層の全面に均一に分布した状態に開口形成してあり、この多数の通気口部５を経て各ツキ板２間に通気性を付与してある。
【００１０】
また、前記した態様のものでは、有害物質吸着層４を形成してあるツキ板２が１枚である場合について例示したが、これに限定されず、２枚或いは全てであっても良い。また、通気口部５は丸穴状にしてあるが長穴状或いはスリット状のものであっても良い。
【００１１】
【考案の効果】
Ａ．請求項１により、接着層における微小な非接着部からなる多数の通気口部が各ツキ板間に通気性および透湿性を確保していることで、住宅内から発散されるホルムアルデヒド、トルエン、キシレン等に代表される有機化合物や不快臭等を板面全体からツキ板中を通して効率良く有害物質吸着層に吸着分解することができる。
また、合板として、安価で大量に生産できる、切断が容易である、強度を保って厚さを薄くできるといった合板が有する本来の特徴をそのまま生かし、カビの発生や合板の腐敗を抑制することができる。
したがって、ショックハウス症候群等の発生の心配がなくなり、衛生的に安全な合板として、建築資材、住宅資材、各種の木工製品等に有用である。
【図面の簡単な説明】
【図１】本考案の合板における実施の１形態を例示している一部切欠して示す斜視図。
【図２】本考案の合板における実施の他の１形態を例示している一部切欠して示す斜視図。
【図３】本考案の合板における実施の他の１形態を例示している一部切欠して示す斜視図。
【符号の説明】
１　合板
２　ツキ板
３　接着層
３ａ　非接着部
４　有害物質吸着層
５　通気口部
【図１】
0003098255.tif 000003
【図２】
0003098255.tif 000004
【図３】
0003098255.tif 000005